Podtech/llm-jp-corpus-v4-ja_patent huggingface dataset:
【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
カラー画像を撮像するディジタル画像処理システムであって、画像センサであって、第１のカラーについて第１のスケール上で特定色画像データを生成する第１の受光感度を有する第１の画素群と、第１のカラーについて第２のスケール上で特定色画像データを生成する第２の受光感度を有する第２の画素群で、前記第１及び第２の画素群が共通のダイナミックレンジを有し、その受光感度に前記第１の画素群の受光感度が重複する前記第２の画素群とを有する前記画像センサと、前記第１及び第２の画素群から画像データを受信し、該画像データを共通スケール上に出力するスケーリングユニットと、前記第１及び第２の画素群から生成されたスケーリング済み特定色画像データを用い、前記第１のカラーの強度値を決定するモザイク解除ユニットと、第１及び第２の画素群の共通ダイナミックレンジ外にある第１のカラーのモザイク解除強度値について、該第１のカラーのモザイク解除強度値を訂正する誤り訂正ユニットとを備えるディジタル画像処理システム。
【請求項２】
前記誤り訂正ユニットが、共通ダイナミックレンジの上端を上回るモザイク解除強度値を増大させることにより、第１のカラーのモザイク解除強度値を訂正する、請求項１記載のディジタル画像処理システム。
【請求項３】
前記画像センサが、均一分布する第１及び第２の画素群を有する、請求項２記載のディジタル画像処理システム。
【請求項４】
前記誤り訂正ユニットが、前記共通ダイナミックレンジの上端を上回るモザイク強度値を、超過強度値と共通ダイナミックレンジの上端との間の差分の２倍だけ増大させる、請求項３記載のディジタル画像処理システム 。
【請求項５】
前記画像センサの第１及び第２の画素群は、２つの異なる感度にて緑色画像データを撮像する、請求項１記載のディジタル画像処理システム。
【請求項６】
前記画像センサがさらに、第２のカラーの画像データを撮像する第３の画素群と、第３のカラーの画像データを撮像する第４の画素群を含む、請求項１記載のディジタル画像処理システム。
【請求項７】
前記画像センサの第１及び第２の画像群が緑色画像データを撮像し、第３の画素群が赤色画像データを撮像し、第４の画素群が青色画像データを撮像する、請求項６記載のディジタル画像処理システム。
【請求項８】
ディジタル画像処理システムを用いてカラー画像を撮像する方法であって、第１の受光感度を有する第１の画素群を用いて前記特定色画像データを撮像するステップと、第２の受光感度を有する第２の画素群を用いて前記特定色画像データを同時に撮像するステップであって、前記第１の画素群からの特定色画像データと前記第２の画素群からの特定色画像データが第１のカラーに関するものであり、かつまた前記第１及び第２の受光感度が共通ダイナミックレンジを含む前記ステップと、前記第１の画素群からの画像データと前記第２の画素群からの画像データを共通スケールに合わせるステップと、前記スケーリングした特定色画像データを用いる画素について前記第１のカラーの強度値を決定するステップと、前記第１及び第２の画素群の共通ダイナミックレンジ外にある決定済みの強度値について、該決定済み強度値を訂正するステップとを含む、方法。
【請求項９】
前記訂正ステップが、共通ダイナミックレンジの上端を上回る強度値を増大させるステップを含む、請求項８記載の方法。
【請求項１０】
前記訂正ステップが、共通ダイナミックレンジの上端を上回る強度値を、超過強度値と共通ダイナミックレンジの上端との間の差分の２倍だけ増大させるステップを含む、請求項８記載の方法。
【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】
遊戯者の操作を入力する操作手段と、
前記操作手段からの操作信号に基づいて仮想空間内で仮想物体を移動させるゲームの進行の状況を制御するゲーム進行制御手段と、
前記仮想物体が前記仮想空間内に設定された所定のポイントに到達したと前記仮想物体位置判定手段が判定したときに第１のセリフを選択して前記記録媒体から読み出す第１セリフ選択制御手段と、
前記ゲームの進行状況が所定の状況になったか否かを判定し、前記判定が肯定されたときに前記第１セリフとは関係なく前記状況に対応した第２のセリフを選択する第２セリフ選択制御手段と、
前記第１セリフと第２セリフとの優先度を判定するセリフ優先度判定手段と、
記録媒体に記録され、前記ゲームの進行状況に対応した所定のセリフ情報群から前記優先度に基づいて選択されたセリフのセリフ情報を前記記録媒体から読み出して前記優先度に基づいて音声再生手段から再生させる音声制御手段と、
前記音声制御手段に選択されたセリフを再生させるセリフ再生手段と、
を備えたゲームデータ処理装置。  
【請求項２】  仮想空間内に仮想物体を移動させながら、所定のセリフを音声再生手段から再生させるようにした処理装置において、仮想空間の所定のポイントに仮想物体が到達したときに第１のセリフを選択する第１セリフ選択制御手段と、ゲームの状況が所定のものになったときに第１セリフとは関係なく第２のセリフを選択する第２セリフ選択制御手段と、前記第１セリフと第２セリフとの優先度を判定するセリフ優先度判定手段と、この優先度に応じてセリフを再生させるセリフ再生手段を備えたゲームデータ処理装置。
【請求項３】
仮想空間内に仮想物体を移動させながら、所定のセリフを音声再生手段から再生させるようにした処理装置において、前記仮想空間の所定のポイントに仮想物体が到達したときに所定のセリフを選択するセリフ選択手段を備え、このセリフ選択制御手段は、前記ポイントに対する前記仮想物体の行動態様を判定して、仮想物体の個々の行動態様に適したセリフを前記音声再生手段から再生させるようにしたゲームデータ処理装置。
【請求項４】
前記仮想物体の行動態様は、前記ポイントに対する仮想物体の向き、通過回数、及び通過時間の少なくとも一つである請求項３記載のゲームデータ処理装置。
【請求項５】
仮想空間内に仮想物体を移動させながら、所定のセリフを音声再生手段から再生させるようにしたゲームデータ処理方法において、仮想空間の所定のポイントに仮想物体が到達したときに第１のセリフを選択する第１セリフ選択制御と、ゲームの状況が所定のものになったときに第１セリフとは関係なく第２のセリフを選択する第２セリフ選択制御と、前記第１セリフと第２セリフとの優先度を判定するセリフ優先度判定制御と、この優先度に応じてセリフを再生させるセリフ再生制御の各工程を備えたゲームデータの処理方法。
【請求項６】
仮想空間内に仮想物体を移動させながら、所定のセリフを音声再生手段から再生させるようにしたゲームデータ処理方法をコンピュータに実行させるプログラムが記憶された記憶媒体において、
前記プログラムは、仮想空間の所定のポイントに仮想物体が到達したときに第１のセリフを選択する第１セリフ選択制御と、ゲームの状況が所定のものになったときに第１セリフとは関係なく第２のセリフを選択する第２セリフ選択制御と、前記第１セリフと第２セリフとの優先度を判定するセリフ優先度判定制御と、この優先度に応じてセリフを再生させるセリフ再生制御の各工程を実行するように構成された、記憶媒体。
【手続補正２】
【補正対象書類名】明細書
【補正対象項目名】発明の名称
【補正方法】変更
【補正の内容】
【発明の名称】ゲームデータ処理装置、ゲームデータの処理方法、及び記憶媒体
【手続補正書】
【提出日】平成16年8月5日(2004.8.5)
【手続補正１】
【補正対象書類名】明細書
【補正対象項目名】００６１
【補正方法】変更
【補正の内容】
【００６１】
このように本実施の形態１によれば、ＤＳＰ１０１０によってセットされる起動アドレスレジスタ２０１０と、起動アドレスレジスタ２０１０の出力とＰＣＭ出力アドレスＳ１０２０とを比較する比較回路２０３０を設け、比較回路２０３０において起動アドレスレジスタ２０１０にセットされた値が検出された場合に、ＨＡＬＴクリア信号Ｓ２０３０を出力し、ＨＡＬＴステータスレジスタ１０４０を起動して、クロック生成回路１０５０を予め設定したタイミングで起動させるようにしたことにより、１フレーム目のデコード処理が終わって、所定のタイミングでＣＰＵと通信する前後、クロック生成回路１０５０の動作を停止することができ、消費電力を効果的に削減することができる。
【手続補正２】
【補正対象書類名】明細書
【補正対象項目名】図７
【補正方法】変更
【補正の内容】
【図７】
従来の音声信号処理装置の動作を示す第１のタイミング図
【手続補正３】
【補正対象書類名】明細書
【補正対象項目名】図９
【補正方法】変更
【補正の内容】
【図９】
従来の音声信号処理装置の動作を示す第２のタイミング図
【手続補正書】
【提出日】平成17年5月23日(2005.5.23)
【手続補正１】
【補正対象書類名】明細書
【補正対象項目名】００１８
【補正方法】変更
【補正の内容】
【００１８】
負電極フィルムのためのペースト混合物は、炭素物質５５〜９５質量％、有利に６５〜８５質量％を含有する。正電極フィルムのためのペースト混合物は、正電極材料６５〜９８質量％、７５〜９５質量％を含有する。本発明によるペースト混合物は、溶剤５０〜７５質量％、有利に５５〜６５質量％を含有する。ＰＶＤＦ／ＨＦＰ比は、最大９９．５ないし最小０．５の間、有利に最大８０ないし最小２０の間にある。ＰＶＤＦ／ＨＦＰの分子量の比は、３．２〜２．８の間、有利に２．３ないし２．５の間にある。
【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
電池ケース内に発電要素を収納した二次電池本体と、この二次電池本体の一端側を覆う端子カバーとを設けた電池パックであって、
前記電池ケースの前記一端側には前記発電要素に連なる一対の正負の内部端子を設け、この内部端子を前記端子カバーによって覆うとともに、前記端子カバー内には前記内部端子に接続された回路素子を配置して、前記端子カバーを通してその内部端子を外部回路に接続するようにしたことを特徴とする電池パック。
【請求項２】
前記二次電池本体及び前記端子カバーのいずれか一方には、ロック突部が設けられ、このロック突部を他方に設けられたロック受け部に係合させることによって、前記二次電池本体と前記端子カバーとが組み付けられていることを特徴とする請求項１に記載の電池パック。
【請求項３】
前記二次電池本体と前記端子カバーとがボルト部とナット部により固定される構造であることを特徴とする請求項１記載の電池パック。
【手続補正２】
【補正対象書類名】明細書
【補正対象項目名】０００６
【補正方法】変更
【補正の内容】
【０００６】
請求項２の発明は、請求項１に記載のものにおいて、前記二次電池本体及び前記端子カバーのいずれか一方には、ロック突部が設けられ、このロック突部を他方に設けられたロック受け部に係合させることによって、前記二次電池本体と前記端子カバーとが組み付けられているところに特徴を有する。
また、請求項３の発明は、請求項１に記載のものにおいて、前記二次電池本体と前記端子カバーとがボルト部とナット部により固定される構造であるところに特徴を有する。
【手続補正３】
【補正対象書類名】明細書
【補正対象項目名】０００７
【補正方法】変更
【補正の内容】
【０００７】
【発明の作用及び効果】
＜請求項１及び請求項３の発明＞
請求項１及び請求項３の電池パックでは、電池ケースの一端側には発電要素に連なる一対の正負の内部端子を設け、この内部端子を端子カバーによって覆った構造であるから、ニッケルリードをケースに沿わせて他方の端子が導出されている他端側まで導く必要はなくなり、側面部においてプラスチックケースで覆う必要はない。そして、外部回路との接続に必要な回路素子は、前記端子カバー内に配置するようにしたから、電気的に必要な要素が全て端子カバー内に位置することになり、二次電池本体の全体を覆うプラスチックカバーが不要となる。
【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
メモリ装置であって、
それぞれがメモリアレイを含む、複数のメモリ層と、
前記メモリアレイのそれぞれに結合される複数の信号変調回路と、
前記複数のメモリ層のそれぞれに結合されるライン低減回路
を備える、メモリ装置。
【請求項２】
前記複数の信号変調回路のそれぞれが、整流回路と直列に結合されたバンドパスフィルタ回路を含む、請求項１のメモリ装置。
【請求項３】
インターフェース接続を介して、前記ライン低減回路に結合されたインターフェースおよび制御回路をさらに含む、請求項１のメモリ装置。
【請求項４】
前記メモリアレイが、交点メモリアレイである、請求項３のメモリ装置。
【請求項５】
前記ライン低減回路が、多重化／逆多重化回路である、請求項１のメモリ装置。
【請求項６】
前記ライン低減回路が、薄い非半導体基板上に実装される、請求項１のメモリ装置。
【請求項７】
第１の組の横断電極と第２の組の横断電極とアドレス指定回路を有する交点メモリアレイと、
直列に接続されたフィルタ及び整流回路と、
ライン低減回路
を備え、前記フィルタ及び整流回路は、ある周波数スペクトルにわたって所定のの信号を拡散することからなる、メモリ装置。
【請求項８】
前記ライン低減回路は、マルチプレクサ回路およびデマルチプレクサ回路から構成される、請求項７のメモリ装置。
【請求項９】
少なくとも１つのフィルタ及び高抵抗性の回路が電源に結合される、請求項７のメモリ装置。
【請求項１０】
前記フィルタはバンドパスフィルタであり、前記整流回路はダイオードを備える、請求項７のメモリ装置。
【請求項１１】
前記第１の組の横断電極と第２の組の横断電極は、前記第１の組の電極と第２の組の電極の交点において形成されたそれぞれのメモリエレメントと共に形成される、請求項７のメモリ装置。
【請求項１２】
第１の接続部は、前記第１の組内の各メモリアレイ電極を第１の組のアドレス線の固有の各サブセットに結合し、第２の接続部は、前記第２の組内の各メモリアレイ電極を前記第２の組のメモリアレイ電極の固有の各サブセットに結合する、請求項７のメモリ装置。
【請求項１３】
複数のメモリ層回路の各々に結合されるインターフェース回路をさらに備える、請求項７のメモリ装置。
【請求項１４】
メモリモジュールとメモリコントローラとの間で相互配線の数を低減するための方法であって、
第１および第２の組の所定の線に所定の電気信号を加え、メモリエレメント置の状態をイネーブルにすることにより、メモリアレイ内の前記メモリエレメントをアドレス指定するステップと、
所定の周波数スペクトルにわたって多数のメモリエレメントのアドレスを拡散することにより、前記アドレスを前記メモリアレイからインターフェースおよび制御回路に伝送するステップ
とからなる、方法。
【請求項１５】
前記多数のメモリエレメントのアドレスを拡散するステップが、直列に接続されたフィルタおよび整流回路を用いて実行される、請求項１４の方法。
【請求項１６】
前記フィルタがバンドパスフィルタである、請求項１５の方法。
【請求項１７】
前記拡散されたアドレスを多重化し、インターフェースを介して、前記インターフェースおよび制御回路に前記アドレスを伝送するステップをさらに含む、請求項１４の方法。
【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
所定の周期のプリアンブルパターンが記録されたデータセクタを備えた磁気記録媒体と、
前記プリアンブルパターンの再生を行う磁気ヘッドと、
前記データセクタから記録再生される情報の処理を行う信号処理回路とを有し、
前記信号処理回路は、前記プリアンブルパターンの再生信号をサンプリングする手段と、該サンプリングする手段によりサンプリングされた一周期毎のプリアンブルパターンの最大および最小の振幅値を用いて振幅の補正を行う手段とを有することを特徴とする磁気記録装置。
【請求項２】
所定の周期のプリアンブルパターンが記録されたデータセクタを備えた記録媒体と、
前記プリアンブルパターンの再生を行う磁気ヘッドと、
前記データセクタから記録再生される情報の処理を行う信号処理回路とを有し、
前記信号処理回路は、前記プリアンブルパターンの再生信号をサンプリングする手段と、前記サンプリング手段で得られる振幅値からサンプリングタイミングのずれに比例した位相勾配データを演算する手段と、プリアンブルパターンの再生信号に対する位相勾配データから、前記サンプリングタイミングのずれを推定する手段とを有することを特徴とする磁気記録装置。
【請求項３】
請求項１又は２に記載の磁気記録装置において、前記プリアンブルパターンの周期は、前記データセクタに記録されたデータの最小ビット間隔をＴとすると６Ｔ以上であることを特徴とする磁気記録装置。
【請求項４】
請求項１又は２に記載の磁気記録装置において、前記データセクタ及びサーボパターン領域に挟まれた領域に周期が６Ｔよりも小さい繰り返しパターンが記録されたことを特徴とする磁気記録装置。
【請求項５】
プリアンブルパターンの再生信号をサンプリングする手段と、
前記サンプリング手段で得られる振幅値からサンプリングタイミングのずれに比例した位相勾配データを演算する手段と、
プリアンブルパターンの再生信号に対する位相勾配データから、前記サンプリングタイミングのずれを推定する手段とを有することを特徴とする信号処理回路。
【請求項６】
請求項５に記載の信号処理回路において、前記位相勾配データの演算手段は、前記プリアンブルパターンの周期を２NT（Nは３以上の整数）としたとき、ビット間隔Tでサンプリングして得られる２N個の振幅値を用いて2N個の位相勾配データを演算し、
前記サンプリングタイミングのずれを推定する手段は、前記2N個の位相勾配データをN個おきに差分する手段と、前記差分手段で得られるN個の位相勾配の差分データの中から絶対値が最大及び最小となる２個の差分データを選択する手段と、前記絶対値が最小となる差分データを前記絶対値が最大となる差分データの絶対値で除算する手段とを含むことを特徴とする信号処理回路。
【請求項７】
請求項５に記載の信号処理回路において、前記プリアンブルパターンの再生信号をビット間隔Ｔでサンプリングした第１の振幅データをプリアンブルパターンの周期だけ遅延させる手段と、前記遅延手段で得られる第２の振幅データと第１の振幅データを減算する手段と、前記減算結果からプリアンブルパターンの先頭のタイミングを判定する手段を具備したことを特徴とする信号処理回路。
【請求項８】
請求項５に記載の信号処理回路において、前記位相勾配演算手段で得られる位相勾配データに基づいて、サンプリングタイミングのずれを調整する手段と、前記サンプリング手段で得られる振幅データから目標振幅との偏差を演算する手段と、前記演算手段により得られる目標振幅との偏差を補正する手段とを有することを特徴とする信号処理回路。
【請求項９】
請求項５に記載の信号処理回路において、前記サンプリングタイミングのずれをビット間隔の１／２に調整することを特徴とする信号処理回路。
【手続補正書】
【提出日】平成17年7月8日(2005.7.8)
【手続補正１】
【補正対象書類名】明細書
【補正対象項目名】特許請求の範囲
【補正方法】変更
【補正の内容】
【特許請求の範囲】
【請求項１】
コンピュータ・システムに取り付けられる周辺装置用のアプリケーション・ソフトを提供する方法であって、
前記アプリケーション・ソフトを、前記周辺装置に結合されたメモリ・モジュールに提供するステップと、
ユーザが前記周辺装置を前記コンピュータ・システムに結合したときに、該コンピュータ・システム上で実行されているオペレーティング・システムが前記周辺装置に照会するステップと、
前記照会するステップに応じて、前記アプリケーション・ソフトを、前記周辺装置に結合された前記メモリ・モジュールから前記コンピュータ・システムにアップロードするステップと、
を含み、前記アプリケーション・ソフトは、前記周辺装置の操作に対するユーザによる設定を有効にするソフトウェアを含んでいる、方法。
【請求項２】
前記アプリケーション・ソフトを前記メモリ・モジュールに提供する前記ステップが、フラッシュ読み取り専用メモリ（ＲＯＭ）モジュール、不揮発性メモリ（ＮＶＭ）モジュール、電気的プログラム可能な読み取り専用メモリ（ＥＰＲＯＭ）モジュール、電気的消去可能なプログラム可能読み取り専用メモリ（ＥＥＰＲＯＭ）モジュール、および不揮発性ランダム・アクセス・メモリ（ＮＶＲＡＭ）モジュールのうちの１つの装置に前記アプリケーション・ソフトをプログラムするステップを含む、請求項１に記載の方法。
【請求項３】
前記周辺装置に照会する前記ステップが、前記アプリケーション・ソフトが前記オペレーティング・システムと互換性があるかどうかを前記オペレーティング・システムが決定するステップを含む、請求項１または２に記載の方法。
【請求項４】
前記周辺装置に照会する前記ステップが、前記アプリケーション・ソフトが前記コンピュータ・システムと互換性があるかどうかを前記オペレーティング・システムが決定するステップを含む、請求項１または２に記載の方法。
【請求項５】
オペレーティング・システムが前記周辺装置に照会する前記ステップが、ＨＰ−ＵＸ（登録商標）オペレーティング・システム、Ｍｉｃｒｏｓｏｆｔ（登録商標）Ｗｉｎｄｏｗｓ（登録商標）オペレーティング・システム、Ｌｉｎｕｘ（登録商標）オペレーティング・システム、Ｍａｃｉｎｔｏｓｈ（登録商標）ＭａｃＯＳ（登録商標）オペレーティング・システム、Ｓｏｌａｒｉｓ（登録商標）オペレーティング・システム、およびＡＩＸ（登録商標）オペレーティング・システムのうちの１つと関連して実行される、請求項１、２、３または４に記載の方法。
【請求項６】
前記周辺装置が、プリンタ、ディジタル・カメラおよびスキャナからなるグループから選択される、請求項１、２、３、４または５に記載の方法。
【請求項７】
周辺装置を結合するコンピュータ・システムと関連して動作可能なコンピュータ読み取り可能媒体であって、該コンピュータ読み取り可能媒体が、前記コンピュータ・システムと関連して実行されたときに、
ユーザが前記周辺装置を前記コンピュータ・システムに結合したときに、該コンピュータ・システム上で実行されているオペレーティング・システムが前記周辺装置に照会するステップと、
前記周辺装置と関連付けられたメモリ・モジュールが、前記コンピュータ・システムと関連して前記周辺装置を操作し、前記コンピュータ・システムと前記オペレーティング・システムの少なくとも一方と互換性があるアプリケーション・ソフトを含むかどうかを決定するステップと、
前記決定するステップに応答して、前記アプリケーション・ソフトを前記コンピュータ・システムにアップロードするステップであって、前記アプリケーション・ソフトは、前記周辺装置の操作に対するユーザによる設定を有効にするソフトウェアを含んでいる、ステップと、
を実行させる一連の命令を保持するコンピュータ読み取り可能媒体。
【請求項８】
前記メモリ・モジュールが、フラッシュＲＯＭモジュール、ＥＰＲＯＭモジュール、ＮＶＲＡＭモジュール、およびＥＥＰＲＯＭモジュールからなるグループから選択される、請求項７に記載のコンピュータ読み取り可能媒体。
【請求項９】
前記周辺装置が、プリンタ、ディジタル・カメラ、およびスキャナからなるグループから選択される、請求項７または８に記載のコンピュータ読み取り可能媒体。
【請求項１０】
前記オペレーティング・システムが、Ｕｎｉｘ（登録商標）ベースのオペレーティング・システム、Ｍｉｃｒｏｓｏｆｔ（登録商標）Ｗｉｎｄｏｗｓ（登録商標）オペレーティング・システム、Ｗｉｎｄｏｗｓ（登録商標）ＮＴ（登録商標）オペレーティング・システムおよびＭａｃｉｎｔｏｓｈ（登録商標）ＭａｃＯＳ（登録商標）オペレーティング・システムからなるグループから選択される、請求項７、８、または９に記載のコンピュータ読み取り可能媒体。
【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
混合モードのメモリ・アクセスを実施するための方法であって、ａ）行アドレスを供給するステップと、ｂ）第１の列にアクセスするため、第１の列アドレスを供給するステップと、ｃ）第２の列にアクセスするため、第２の列アドレスを供給するステップと、ｄ）前記第１の列に関して書き込みアクセスと読み取りアクセスの一方を指定するため、第１の書き込み制御信号を供給するステップと、ｅ）前記第２の列に関して書き込みアクセスと読み取りアクセスの一方を指定するため、第２の書き込み制御信号を供給するステップと、ｆ）前記第１の列に対する並行混合モード・メモリ・アクセス及び前記第２の列に対する書き込みアクセスを実施するステップが含まれている方法。
【請求項２】
前記第１の列に対する並行混合モード・メモリ・アクセス及び前記第２の列に対する書き込みアクセスを実施するステップに、ｆ＿１）前記第１の列に対する並行読み取りアクセス及び前記第２の列に対する書き込みアクセスを実施するステップが含まれる請求項１に記載の方法。
【請求項３】
前記第１の列に対する並行混合モード・メモリ・アクセス及び前記第２の列に対する書き込みアクセスを実施するステップに、ｆ＿１）前記第１の列に対する並行書き込みアクセス及び前記第２の列に対する読み取りアクセスを実施するステップが含まれる請求項１に記載の方法。
【請求項４】
前記第１の列に対する並行混合モード・メモリ・アクセス及び前記第２の列に対する書き込みアクセスを実施するステップに、ｆ＿１）データ・バスの第１の部分を利用して、第１のブロックからデータを伝達するステップと、ｆ＿２）データ・バスの第２の部分を利用して、第２のブロックからデータを伝達するステップが含まれる請求項１に記載の方法。
【請求項５】
第１の列が、書き込みアクセスを受け、第２の列が読み取りアクセスを受ける請求項１に記載の方法。
【請求項６】
前記第１の部分に、前記メモリに書き込まれるデータが含まれることと、前記第２の部分に、前記メモリから読み取られるデータが含まれる請求項４に記載の方法。
【請求項７】
前記メモリが特定用途向け集積回路に組み込まれている請求項１に記載の方法。
【請求項８】
メモリであって、ａ）第１の機能ブロックに割り当てられた第１の列空間と、ｂ）第２の機能ブロックに割り当てられた第２の列空間と、ｃ）前記第１の列空間にアクセスするための第１の列アドレス信号と、ｄ）前記第２の列空間にアクセスするための第２の列アドレス信号と、ｅ）前記第１の列に関して書き込みアクセス及び読み取りアクセスの一方を指定するための第１の書き込み信号と、ｆ）前記第２の列に関して書き込みアクセス及び読み取りアクセスの一方を指定するための第２の書き込み信号が含まれており、並行混合モード・アクセスを支援するメモリ。
【請求項９】
前記メモリに共通行アドレスが供給され、前記行内の第１のアドレス指定領域が読み取りアクセスを受け、前記行内の第２のアドレス指定領域が書き込みアクセスを受ける請求項８に記載のメモリ。
【請求項１０】
ａ）第３の機能ブロックに割り当てられた第３の列空間と、ｂ）前記第３の列空間にアクセスするための第３の列アドレス信号と、ｃ）前記第３の列に関して書き込みアクセスと読み取りアクセスの一方を指定するための第３の書き込み信号をさらに含み、前記メモリに共通行アドレスが供給され、前記行内の第１のアドレス指定領域が読み取りアクセスを受け、前記行内の第２のアドレス指定領域が書き込みアクセスを受け、前記行内の第３のアドレス指定領域が書き込みアクセスを受ける  請求項８に記載のメモリ。
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
ディスク状の基体と、この基体の主面部上に形成された信号記録層とを備えた記録媒体であって、
上記信号記録層は、上記基体の主面部に略々垂直に入射される光束によって第１の情報信号の読出しが行われ、
上記基体の主面部に略々平行に入射される光束によって上記第１の情報信号とは異なる第２の情報信号の読出しが行われることを特徴とする記録媒体。
【請求項２】
上記信号記録層は、上記第２の情報信号に対応した位置に、この基体の主面部に対して傾斜された光反射部材が埋設されており、上記基体の主面部に略々平行に入射される光束を該光反射部材によって反射させて、上記基体の主面部に略々垂直な方向に出射させることを特徴とする請求項１記載の記録媒体。
【請求項３】
上記信号記録層は、上記基体の主面部に対して傾斜された複数の光反射部材が埋設されており、これら光反射部材により反射された光が出射される側であって上記第２の情報信号に対応した位置には、遮光部材が配設されており、上記基体の主面部に略々平行に入射される光束を該光反射部材によって反射させ、上記遮光部材によって遮光されない位置の光反射部材については、この基体の主面部に略々垂直な方向に出射させることを特徴とする請求項１記載の記録媒体。
【請求項４】
ディスク状の基体とこの基体の主面部上に形成された信号記録層とを備えた記録媒体が装着され、この記録媒体から情報信号の読出しを行う再生装置であって、
上記信号記録層に対し、上記基体の主面部に略々垂直に光束を入射させ、この光束の該信号記録層からの反射光束によって第１の情報信号の読出しを行う第１の読出し手段と、
上記基体の主面部に略々平行に光束を入射させ、この基体または上記信号記録層の少なくとも一方を透過して出射された光束によって、上記第１の情報信号と異なる第２の情報信号の読出しを行う第２の読出し手段とを備えることを特徴とする再生装置。
【請求項５】
装着される記録媒体は、上記信号記録層の上記第２の情報信号に対応した位置に、上記基体の主面部に対して傾斜された光反射部材が埋設されており、この基体の主面部に略々平行に入射される光束を該光反射部材によって反射させて、この基体の主面部に略々垂直な方向に上記信号記録層を透して出射させるものであり、
上記第２の読出し手段は、上記基体の主面部に略々平行に入射され上記光反射部材によって反射されこの基体の主面部に略々垂直な方向に出射された光束を検出することを特徴とする請求項４記載の再生装置。
【請求項６】
上記第２の読出し手段は、上記信号記録層の外周縁部より、上記基体の主面部に略々平行な光束を入射させることを特徴とする請求項５記載の再生装置。
【請求項７】
上記第２の読出し手段は、上記基体の中心部に形成されこの基体を支持するための透孔の内周縁部に臨む上記信号記録層の内周縁部より、該基体の主面部に略々平行な光束を入射させることを特徴とする請求項５記載の再生装置。
【請求項８】
上記第２の読出し手段は、上記基体の主面部に略々平行に入射される光束の上記信号記録層への入射端となる該信号記録層の外周縁部または該基体の中心部に形成された透孔の内周縁部に臨む上記信号記録層の内周縁部に配設された集光手段を介して、該基体の主面部に略々平行な光束を該信号記録層に入射させることを特徴とする請求項５記載の再生装置。
【請求項９】
装着される記録媒体は、上記信号記録層に上記基体の主面部に対して傾斜された複数の光反射部材が埋設され、これら光反射部材により反射された光が出射される側であって上記第２の情報信号に対応した位置に、遮光部材が配設され、上記基体の主面部に略々平行に入射される光束を該光反射部材によって反射させ、上記遮光部材によって遮光されない位置の光反射部材については、この基体の主面部に略々垂直な方向に出射させるものであり、上記第２の読出し手段は、上記基体の主面部に略々平行に入射され上記光反射部材によって反射されこの基体の主面部に略々垂直な方向に出射された光束を検出することを特徴とする請求項４記載の再生装置。
【手続補正書】
【提出日】平成17年1月26日(2005.1.26)
【手続補正１】
【補正対象書類名】明細書
【補正対象項目名】００３３
【補正方法】変更
【補正の内容】
【００３３】
このように、本形態の光ヘッド装置１でも、フレキシブル基板８の引き回し部分８２の幅を狭くせざるを得ない場合でも、第１のグランド用配線パターン９１１、第２のグランド用配線パターン９１２、および駆動信号用配線パターン９２が互いに平面的に重なる異なる層として形成されているため、第１のグランド用配線パターン９１１、第２のグランド用配線パターン９１２、および駆動信号用配線パターン９２を幅広に形成できる。このため、第１のグランド用配線パターン９１１、第２のグランド用配線パターン９１２、および駆動信号用配線パターン９２は、幅広である分、配線抵抗が小さいので、発熱としてのエネルギー損失を低減できる。また、絶縁層としての基材８０２、８０２については、１０μｍ以下の厚さに形成することもできるため、第１のグランド用配線パターン９１１と駆動信号用配線パターン９２との間隔、および第２のグランド用配線パターン９１２と駆動信号用配線パターン９２との間隔が狭い。このため、電磁波の放射を抑制できるなど、実施の形態１と同様な効果を奏する。
【手続補正書】
【提出日】平成17年5月25日(2005.5.25)
【手続補正１】
【補正対象書類名】明細書
【補正対象項目名】特許請求の範囲
【補正方法】変更
【補正の内容】
【特許請求の範囲】
【請求項１】
磁気ディスクを回転させる第１モータと、
該第１モータにより回転される磁気ディスク上の記憶トラックに対して情報のリードを行う磁気ヘッドと、
この磁気ヘッドを上記磁気ディスク上にて移動させる第２モータと、
該第２モータのコイルに電流を流す電界効果型トランジスタを含みコイルの駆動電流を制御することにより上記磁気ヘッドの移動制御を行なう第２モータ駆動制御回路と、
上記トランジスタを駆動するための電圧を発生する昇圧回路とを具備し、
磁気ディスク記憶システムに対する電源の供給が停止された時に上記第１モータのコイルに発生する逆起電圧を整流した電圧を上記昇圧回路によって昇圧し、該昇圧回路で昇圧された電圧により上記第２モータ駆動制御回路を動作させて上記第２モータのコイルに電流を流す上記トランジスタを駆動制御して上記磁気ヘッドを所定の待機位置へ移動させるように構成されていることを特徴とする磁気ディスク記憶システム。
【請求項２】
上記昇圧回路はクロック信号によって昇圧動作を行なうチャージポンプ回路であり、該チャージポンプ回路で昇圧された電圧により動作して上記クロック信号を生成するクロック生成回路を備えていることを特徴とする請求項１に記載の磁気ディスク記憶システム。
【請求項３】
上記第２モータのコイルに流れる電流を検出する電流検出手段を備え、
上記第２モータ駆動制御回路は、目標電流値信号と上記電流検出手段により検出された電流値とを比較し、その差に応じた信号を出力する制御アンプを有し、
電源遮断時には該制御アンプの出力に代えて所定の制御電圧が供給されるように構成されていることを特徴とする請求項１または２に記載の磁気ディスク記憶システム。
【請求項４】
上記制御電圧は第１レベルと該第１レベルよりも高い第２レベルに切り替え可能とされ、電源遮断時には上記第１レベルの制御電圧が供給された後、上記第２レベルの制御電圧が供給されるように構成されていることを特徴とする請求項３に記載の磁気ディスク記憶システム。
【請求項５】
上記第１レベルの制御電圧が供給される時間を計時するタイマ回路を備えることを特徴とする請求項４に記載の磁気ディスク記憶システム。
【請求項６】
上記タイマ回路は上記クロック生成回路により生成されたクロック信号により上記第１レベルの制御電圧が供給される時間を計時することを特徴とする請求項５に記載の磁気ディスク記憶システム。
【請求項７】
上記タイマ回路は上記昇圧回路で昇圧された電圧により動作することを特徴とする請求項６に記載の磁気ディスク記憶システム。
【請求項８】
上記第１レベルの制御電圧と上記第２レベルの制御電圧を生成する電圧生成回路を備え、
該電圧生成回路は、定電流源と該定電流源から供給される電流を電圧に変換する抵抗素子とを有し、上記定電流源に流れる電流の大きさが切り替え可能に構成されていることを特徴とする請求項４〜７のいずれかに記載の磁気ディスク記憶システム。
【請求項９】
上記電圧生成回路は、第１の定電流源と、第２の定電流源と、いずれか一方の定電流源と上記抵抗素子との間に設けられたスイッチ素子を有し、該スイッチ素子が上記タイマ回路からの信号によりオン、オフ制御されるように構成されていることを特徴とする請求項８に記載の磁気ディスク記憶システム。
【請求項１０】
上記第１モータのコイルに電流を流すトランジスタを含みコイルの駆動電流を制御することにより上記磁気ディスクの回転制御を行なう第１モータ駆動制御回路を備え、
該第１モータ駆動制御回路は、通常動作時にはパルス幅制御方式で上記トランジスタを駆動し、電源遮断時には上記第１モータの回転に同期して上記トランジスタを順次駆動することを特徴とする請求項１〜９のいずれかに記載の磁気ディスク記憶システム。
【請求項１１】
磁気ディスクを回転させる第１モータと、
該第１モータにより回転される磁気ディスク上の記憶トラックに対して情報のリードを行う磁気ヘッドと、
この磁気ヘッドを上記磁気ディスク上にて移動させる第２モータと、
該第２モータのコイルに電流を流す電界効果型トランジスタを含みコイルの駆動電流を制御することにより上記磁気ヘッドの移動制御を行なう第２モータ駆動制御回路と、
上記第２モータのコイルに流れる電流を検出する電流検出手段と、
上記第２モータ駆動制御回路に対して上記第２モータのコイルに流す電流の目標値を与えるシステム制御装置と、
上記トランジスタを駆動するための電圧を発生する昇圧回路とを具備し、
磁気ディスク記憶システムに対する電源の供給が停止された時に上記第１モータのコイルに発生する逆起電圧を整流した電圧を上記昇圧回路によって昇圧し、該昇圧回路で昇圧された電圧により上記第２モータ駆動制御回路を動作させ、上記第２モータ駆動制御回路は、上記第２モータのコイルに電流を流す上記トランジスタを上記システム制御装置の介在なしに駆動制御して上記磁気ヘッドを所定の待機位置へ移動させることを特徴とする磁気ディスク記憶システム。
【請求項１２】
磁気ディスクを回転させる第１モータと、
該第１モータにより回転される磁気ディスク上の記憶トラックに対して情報のリードを行う磁気ヘッドと、
この磁気ヘッドを上記磁気ディスク上にて移動させる第２モータと、
該第２モータのコイルに電流を流す電界効果型トランジスタを含みコイルの駆動電流を制御することにより上記磁気ヘッドの移動制御を行なう第２モータ駆動制御回路と、
上記第２モータのコイルに流れる電流を検出する電流検出手段と、
上記第２モータ駆動制御回路に対して上記第２モータのコイルに流す電流の目標値を与えるシステム制御装置と、
上記トランジスタを駆動するための電圧を発生する昇圧回路とを具備し、
磁気ディスク記憶システムに対する電源の供給が停止された時に上記第１モータのコイルに発生する逆起電圧を整流した電圧を上記昇圧回路によって昇圧し、該昇圧回路で昇圧された電圧により上記第２モータ駆動制御回路を動作させ、上記第２モータ駆動制御回路は、上記システム制御装置からの電流指令値に基づいて上記第２モータのコイルに電流を流す上記トランジスタを駆動制御して上記磁気ヘッドを所定の待機位置へ移動させることを特徴とする磁気ディスク記憶システム。
【手続補正書】
【提出日】平成16年4月1日(2004.4.1)
【手続補正１】
【補正対象書類名】明細書
【補正対象項目名】００２６
【補正方法】変更
【補正の内容】
【００２６】
メモリ制御回路１１には、メモリ１６が接続され、メモリ制御回路１１は、制御部１からの制御信号に基づいてメモリ１６を制御する。メモリ１６は、たとえばＤＲＡＭからなり、楽曲情報の記録や再生に際してバッファメモリとして機能する。


【手続補正２】
【補正対象書類名】明細書
【補正対象項目名】００２８
【補正方法】変更
【補正の内容】
【００２８】
この実施形態では、上記各トラックネームに対してトラックの属性が付加されている。ここで、属性とは、トラックをグループ化するためのトラックを種別するための情報（たとえば、ジャンル名やアーティスト名）である。たとえば、図２によれば、トラック番号が「１」である「Ｔｒａｃｋ１」に記憶されたトラックネームには、属性として「Ｊａｚｚ」が設定されており、すなわち、トラックネームには、実際のトラック名の後ろに「／」を介して「Ｊａｚｚ」が含まれている。これらの属性は、予めユーザによって操作部２を用いてＭＤがＭＤ装置に挿入されたときに設定される。


【手続補正３】
【補正対象書類名】明細書
【補正対象項目名】００３０
【補正方法】変更
【補正の内容】
【００３０】
次に、制御部１の制御動作について、図３および図４に示すフローチャートを参照して説明する。たとえばユーザがこのＭＤ装置を用いてＭＤ内のトラックを編集（グループ化）する場合、制御部１は、当該ＭＤにトラックが存在するか否かを判別する（Ｓ１）。


【手続補正４】
【補正対象書類名】明細書
【補正対象項目名】００４２
【補正方法】変更
【補正の内容】
【００４２】
その後、変数Ａと変数Ｍとを加えたものを変数Ｎに置換する（Ｓ１７）。これは、グループ化した複数のトラックの次のトラックを確認するためである。次いで、変数Ｎが最大トラック数以上になったか否かを判別し（Ｓ１８）、変数Ｎが最大トラック数以上になった場合（Ｓ１８：ＹＥＳ）、最後のトラックまで確認したこととして本処理を終了する。一方、変数Ｎが最大トラック数以上になっていない場合（Ｓ１８：ＮＯ）、図３のステップＳ４の処理に戻る。


【手続補正５】
【補正対象書類名】明細書
【補正対象項目名】符号の説明
【補正方法】変更
【補正の内容】
【符号の説明】
１  制御部
２  操作部
３  表示部
４  サーボ回路
５  ヘッド部
１０  信号処理部
１１  メモリ制御回路
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
一方の表面に信号パターンが形成されている基板上に記録層及びカバー層を有する光記録媒体であり、カバー層側から光を照射させることにより情報の記録再生を行う光記録媒体において、
上記基板に発泡層が形成されており、該発泡層の厚みが０．５ｍｍ〜１．１ｍｍであり、且つ、上記信号パターンが形成されている基板面と該発泡層との間の厚みが１μｍ〜５００μｍであることを特徴とする光記録媒体。
【請求項２】
上記信号パターンが形成されている基板面と発泡層との間が発泡されていないことを特徴とする請求項１に記載の光記録媒体。
【請求項３】
請求項１に記載の光記録媒体を製造する方法であって、
上記溶融樹脂に超臨界状態のＣＯ２を含浸することと；
所定容積のキャビティにＣＯ２を充填することと；
上記ＣＯ２を充填した所定容積のキャビティに上記溶融樹脂を充填することと；
溶融樹脂を充填したキャビティの容積を減少させることにより上記溶融樹脂を圧縮することと；
上記溶融樹脂を圧縮した後に、再び上記キャビティの容積を増大させて溶融樹脂を発泡させて基板に発泡層を形成することにより上記基板を形成すること含む光記録媒体を製造する方法。
【請求項４】
上記溶融樹脂を発泡させた後に、再び溶融樹脂を圧縮することを含む請求項３に記載の光記録媒体の製造方法。
【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
（１）管理対象物品に関する情報を二次元コードで表示した識別ラベル、画像入力部と画像表示部とを備えた携帯通信手段、コンピュータを備えたデータ解析センタおよび前記携帯通信手段と前記データ解析センタとを結ぶデータ伝送手段を準備する工程、
（２）前記管理対象物品に前記識別ラベルを付与する工程、
（３）前記識別ラベルに表示されている情報を前記携帯通信手段の画像入力部で読み取る工程、
（４）前記携帯通信手段の画像入力部で読み取った情報を前記データ伝送手段により前記データ解析センタに伝送する工程、
（５）前記データ解析センタのコンピュータにより、伝送された情報を処理するとともに、情報のコード解析を行う工程、
（６）前記データ解析センタから前記携帯通信手段に解析情報を伝送する工程、ならびに
（７）前記携帯通信手段の画像表示部に、データ解析センタから伝送された情報を表示する工程、
を含むことを特徴とする物品の情報管理方法。
【請求項２】
前記携帯通信手段として、デジタルカメラと液晶ディスプレイとを備えた携帯電話を用い、前記携帯電話と前記データ解析センタとの情報の伝送を、携帯電話基地局を介した公衆回線を使用して行うことを特徴とする請求項１に記載の物品の情報管理方法。
【請求項３】
前記携帯通信手段として、デジタルカメラとディスプレイとを備えた携帯情報端末を用い、有線もしくは無線のＬＡＮにて情報の伝送を行うことを特徴とする請求項１に記載の物品の情報管理方法。
【請求項４】
前記携帯通信手段から前記データ解析センタへ、前記携帯通信手段の画像入力部で読み取った情報とともに、物品に関して追加的に蓄積保存を希望する追加情報のコード情報を伝送することを特徴とする請求項１〜請求項３のいずれかに記載の物品の情報管理方法。
【請求項５】
前記携帯通信手段から前記データ解析センタへ、前記携帯通信手段の画像入力部で読み取った情報とともに、物品に関して入手を希望する必要情報のコード情報を伝送し、データ解析センタからは必要情報を選択して前記携帯通信手段に伝送することを特徴とする請求項１〜請求項４のいずれかに記載の物品の情報管理方法。
【請求項６】
前記データ解析センタをインターネットに接続したホームページに付設することを特徴とする請求項１〜請求項５のいずれかに記載の物品の情報管理方法。
【請求項７】
前記データ解析センタのコンピュータに、物品情報管理システムのユーザごとに独立した複数のファイルを設け、該コンピュータで前記携帯通信手段から伝送されたデータからユーザ名を識別し、そのユーザのファイルから物品に関する情報を出し入れすることを特徴とする請求項１〜請求項６のいずれかに記載の物品の情報管理方法。
【請求項８】
管理対象物品に付与された識別ラベルに表示されている二次元コードを、携帯電話のデジタルカメラで読み取り、該デジタルカメラで読み取った二次元コードの情報を、携帯電話基地局経由にて公衆回線によりデータ解析センタに送信し、前記データ解析センタにおいて受信した情報を、前記データ解析センタのコンピュータの演算装置にて一次処理および二次元コード解析を行い、解析情報に基づいてコンピュータの記憶装置に蓄積されている対象物品に関する情報を引き出して、当該情報を携帯電話に向けて自動的に返信し、前記携帯通電話において受信した情報を、文字、画像もしくはこれらの組み合わせとして携帯電話のディスプレイに表示することを特徴とする請求項１〜請求項７のいずれかに記載の物品の情報管理方法。
【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
カード型周辺デバイスが着脱自在に装着されるスロットを備えた電子機器において、
前記スロットに装着されたカード型周辺デバイスとの間で信号の転送を行うインタフェースと、
前記カード型周辺デバイスが前記スロットに装着された状態で、当該スロットからのカード型周辺デバイスの取り出しを構造的に規制するロック機構と、
このロック機構によるロック状態が有効になっているか無効になっているかを検出する検出手段と、
この検出手段の検出結果に基づいて、前記インタフェースの動作状態を制御する制御手段とを具備したことを特徴とする電子機器。
【請求項２】
前記制御手段は、前記ロック機構によるロック状態が有効になっている場合に、前記インタフェースの動作状態を前記カード型周辺デバイスとの間で信号の転送が可能な活性状態に設定し、一方前記ロック機構によるロック状態が無効になっている場合には、前記インタフェースの動作状態を前記カード型周辺デバイスとの間で信号の転送が不可能な非活性状態に設定することを特徴とする請求項１記載の電子機器。
【請求項３】
前記制御手段は、前記ロック機構のロック状態が無効になったことが検出された時点からインタフェースの動作状態を非活性状態に遷移させるまでの期間に、前記スロットからのカード型周辺デバイスの取り出しが不可能である旨のメッセージを前記電子機器のユーザに報知する機能を、さらに備えたことを特徴とする請求項２記載の電子機器。
【請求項４】
前記制御手段は、前記インタフェースの動作状態を活性状態から非活性状態に遷移させた後に、前記スロットからのカード型周辺デバイスの取り出しが可能である旨のメッセージを前記電子機器のユーザに報知する機能を、さらに備えたことを特徴とする請求項２記載の電子機器。
【請求項５】
前記制御手段は、前記スロットにカード型周辺デバイスが装着された時点から前記ロック機構のロック状態が有効になるまでの期間内に、前記ロック機構のロック状態を有効に設定させるためのロック操作を促すメッセージを前記電子機器のユーザに報知する機能を、さらに備えたことを特徴とする請求項２記載の電子機器。
【請求項６】
前記制御手段は、転送する信号のうち残りの信号を算出し、算出した前記残りの信号が前記ロック機構のロック状態が無効になったことが検出された時点からインタフェースの動作状態を非活性状態に遷移させるまでの期間に転送可能な信号量である場合に、前記残りの信号の転送を続行し、前記残りの信号が転送可能な信号量でない場合に、前記残りの信号の転送を中断することを特徴とする請求項１記載の電子機器。
【手続補正２】
【補正対象書類名】明細書
【補正対象項目名】００１２
【補正方法】変更
【補正の内容】
【００１２】
さらに、スロットにカード型周辺デバイスが装着された時点からロック機構のロック状態が有効になるまでの期間内に、ロック機構のロック状態を有効に設定させるためのロック操作を促すメッセージを電子機器のユーザに報知するとよい。このように構成すると、ユーザのロック操作のし忘れを防ぐことができ、またユーザがカード型周辺デバイスのアクセスが可能にならないことをユーザが故障と誤認識する不具合を防止できる。
さらに、転送する信号のうち残りの信号を算出し、算出した残りの信号がロック機構のロック状態が無効になったことが検出された時点からインタフェースの動作状態を非活性状態に遷移させるまでの期間に転送可能な信号量である場合に、残りの信号の転送を続行し、残りの信号が転送可能な信号量でない場合に、残りの信号の転送を中断するとよい。このように構成すると、ロック機構のロック状態の無効が検出された場合に無条件に信号の転送を中断する場合に比べ、可能な限り信号の転送処理を最後まで終了することができる。